【手続補正書】
【提出日】平成15年7月31日(2003.7.31)
【手続補正１】
【補正対象書類名】明細書
【補正対象項目名】請求項１
【補正方法】変更
【補正の内容】
【請求項１】
液透過性の表面層と、裏面シートと、前記表面層と前記裏面シートとの間に位置する吸収層とを有する吸収性物品において、
前記表面層は、液透過性の基材と、前記基材の表面に設けられた連続フィラメントの層とを有し、前記連続フィラメントの延びる方向に間隔を空けた複数の接合部により前記基材と前記連続フィラメントの層とが接合されており、前記接合部と接合部との間で、表面側に隆起する前記連続フィラメントのループ部が形成されていることを特徴とする吸収性物品。
【手続補正２】
【補正対象書類名】明細書
【補正対象項目名】００１０
【補正方法】変更
【補正の内容】
【００１０】
【課題を解決するための手段】
本発明は、液透過性の表面層と、裏面シートと、前記表面層と前記裏面シートとの間に位置する吸収層とを有する吸収性物品において、
前記表面層は、液透過性の基材と、前記基材の表面に設けられた連続フィラメントの層とを有し、前記連続フィラメントの延びる方向に間隔を空けた複数の接合部により前記基材と前記連続フィラメントの層とが接合されており、前記接合部と接合部との間で、表面側に隆起する前記連続フィラメントのループ部が形成されていることを特徴とするものである。


【手続補正３】
【補正対象書類名】明細書
【補正対象項目名】００１６
【補正方法】変更
【補正の内容】
【００１６】
前記間隔が空けられる場合、前記基材が開孔シートであることが好ましい。
また、好ましくは、前記ループ部の前記基材表面からの高さ寸法Ｈが、前記ルーブ部の前後に位置する前記接合部のピッチＰよりも大きいもの、および、前記ループ部の最表面に現れている連続フィラメントの、前記接合部間での延べ長さＬが、前記接合部のピッチＰの１．１倍以上で４倍以下であるものである。


【手続補正４】
【補正対象書類名】明細書
【補正対象項目名】００２１
【補正方法】変更
【補正の内容】
【００２１】
（ａ）液透過性の基材に弾性部材を縦方向に伸ばして取付ける行程、
（ｂ）前記（ａ）の行程と同時に、または前記行程の前あるいは後において、伸長状態の前記基材に、連続フィラメントの層を重ねて、前記基材と前記層とを前記連続フィラメントの延びる方向へ所定のピッチで接合して接合部を形成する行程、
（ｃ）前記弾性部材への伸長力を解除して、この弾性部材とともに前記基材を前記連続フィラメントの延びる方向に沿って収縮させ、このとき接近した接合部と接合部との間に位置する連続フィラメントを前記基材の表面から隆起させてループ部を形成する行程、
（ｄ）前記基材上に前記ループ部が形成された表面層を用い、前記表面層と、裏面シートと、前記表面層と前記裏面シートとの間に位置する吸収層とを有する吸収性物品を形成する行程、
または、以下の行程を有するものである。
（ｅ）液透過性で且つ伸縮性を有する基材を縦方向に伸ばす行程、
（ｆ）前記（ｅ）の行程と同時に、または前記行程の後に、伸ばした状態の前記基材に、連続フィラメントの層を重ねて、前記基材と前記層とを前記連続フィラメントの延びる方向へ所定のピッチで接合して接合部を形成する行程、
（ｇ）前記基材への伸長力を解除して、前記基材を前記連続フィラメントの延びる方向に沿って収縮させ、このとき接近した接合部と接合部との間に位置する連続フィラメントを、前記基材の表面から隆起させてループ部を形成する行程、
（ｈ）前記基材上に前記ループ部が形成された表面層を用い、前記表面層と、裏面シートと、前記表面層と前記裏面シートとの間に位置する吸収層とを有する吸収性物品を形成する行程、
あるいは、以下の行程を有するものである。
（ｉ）熱収縮性の基材に、連続フィラメントの層を重ねて、前記基材と前記層とを前記連続フィラメントの延びる方向へ所定のピッチで接合して接合部を形成する行程、
（ｊ）前記基材に熱を与えて、前記基材を前記連続フィラメントの延びる方向に沿って熱収縮させ、このとき接近した接合部と接合部との間に位置する連続フィラメントを、前記基材の表面から隆起させてループ部を形成する行程、
（ｋ）前記基材上に前記ループ部が形成された表面層を用い、前記表面層と、裏面シートと、前記表面層と前記裏面シートとの間に位置する吸収層とを有する吸収性物品を形成する行程、
また、前記（ｂ）、（ｆ）または（ｉ）の行程の前に、捲縮した連続フィラメントが収束したトウを開繊して前記連続フィラメントの層を形成する行程を含むものであってもよいし、さらに、前記開繊の後に、前記連続フィラメントの層を幅方向に均一な嵩となるように広げる行程を含むものであってもよい。


【手続補正５】
【補正対象書類名】明細書
【補正対象項目名】００２９
【補正方法】変更
【補正の内容】
【００２９】
前記表面層１０では、透液性の基材１１の裏面側に弾性部材１２が接合され、基材１１の表面側に連続フィラメントの層１３が積層されている。前記連続フィラメントは、縦方向（Ｙ方向）へ連続しているものであり、例えばＴＯＷと称される捲縮した連続フィラメントの収束体から開繊されたものである。


【手続補正６】
【補正対象書類名】明細書
【補正対象項目名】００３１
【補正方法】変更
【補正の内容】
【００３１】
図１ないし図３に示す実施の形態では、全ての接合線１４ａおよび１４ｂが連続フィラメントの延びるＹ方向と垂直な方向に直線状に延びており、全ての接合線１４ａ，１４ｂのＸ方向の長さ寸法Ｗが同じである。接合線１４ａと接合線１４ｂは、Ｙ方向に列を成すように等ピッチＰで配列し、前記列はＸ方向に複数列形成されている。図２では、奇数列（ｉ）の接合線を符号１４ａで示し、偶数列（ｉｉ）の接合線を符号１４ｂで示している。奇数列（ｉ）の接合線１４ａと接合線１４ａとの中点に、偶数列（ｉｉ）の接合線１４ｂが位置している。


【手続補正７】
【補正対象書類名】明細書
【補正対象項目名】００３２
【補正方法】変更
【補正の内容】
【００３２】
前記奇数列（ｉ）では、接合線１４ａと接合線１４ａとの間で、前記連続フィラメントの層１３が表面側へ隆起するループ部１５ａを形成しており、前記偶数列（ｉｉ）においても、接合線１４ｂと接合線１４ｂとの間で、前記連続フィラメントの層１３が表面側へ隆起するループ部１５ｂを形成している。


【手続補正８】
【補正対象書類名】明細書
【補正対象項目名】００３４
【補正方法】変更
【補正の内容】
【００３４】
前記奇数列（ｉ）の接合線１４ａ，１４ａの間に、偶数列（ｉｉ）の接合線１４ｂ，１４ｂが位置する構造であるため、奇数列（ｉ）において接合線１４ａと１４ａとの間に形成されるループ部１５ａの頂部１５ａ１と、偶数列（ｉｉ）において接合線１４ｂと１４ｂとの間に形成されるループ部１５ｂの頂部１５ｂ１は、互い違いに位置することになる。よって奇数列（ｉ）のループ部１５ａと、偶数列（ｉｉ）のループ部１５ｂは、Ｘ方向に隣接しているが互いに独立したものとなる。


【手続補正９】
【補正対象書類名】明細書
【補正対象項目名】００３６
【補正方法】変更
【補正の内容】
【００３６】
またループ部１５ａと１５ｂとでは、個々の連続フィラメントがＹ方向とＸ方向へ変形しやすい。よって連続フィラメントが装着者の肌の動きに追従し、装着者の肌に刺激を与え難い。特に隣接する奇数列（ｉ）のループ部１５ａと偶数列（ｉｉ）のループ部１５ｂが互いに独立しているため、接合線１４ａと１４ａとで囲まれた独立した範囲の連続フィラメント、および接合線１４ｂと１４ｂとで囲まれた独立した範囲の連続フィラメントが、各ループ部１５ａ，１５ｂごとに個別に動ける。したがって装着者の各部位の肌の動きに連続フィラメントが柔軟に追従するようになる。


【手続補正１０】
【補正対象書類名】明細書
【補正対象項目名】００６６
【補正方法】変更
【補正の内容】
【００６６】
一方、ＴＯＷ（トウ）と称される捲縮した連続フィラメントの収束体１３Ｂは、移送ローラ２４，２５，２６で移送されるが、移送ローラ２４よりも移送ローラ２５の回転数が高く、移送ローラ２５よりも移送ローラ２６の回転数が低く設定されている。したがって、収束体１３Ｂは移送ローラ２４と２５との間で伸び力を受け、移送ローラ２５と移送ローラ２６との間で収縮力を受ける。この伸長と収縮の行程は必要に応じて複段設けられ、これにより収束体１３Ｂが開繊される。


【手続補正１１】
【補正対象書類名】明細書
【補正対象項目名】００６７
【補正方法】変更
【補正の内容】
【００６７】
さらに拡幅手段２９によって、前記の開繊された連続フィラメントの層１３がＸ方向へ均一な嵩となるように広げられ、移送ローラ２７と移送ローラ２８を経て、基材１１に積層される。


【手続補正１２】
【補正対象書類名】明細書
【補正対象項目名】００７８
【補正方法】変更
【補正の内容】
【００７８】
図５に示すものでは、奇数列（ｉ）に形成された接合線４１ａと、偶数列（ｉｉ）に形成された接合線４１ｂとが、共にＹ方向に角部が向けられたＶ字形状である。接合線４１ａと接合線４１ａとの間隔は均一であり、よって接合線４１ａと接合線４１ａとの間では同じ高さ寸法のループ部４２ａが形成される。接合線４１ｂと接合線４１ｂとの間においても、同様に同じ高さ寸法のループ部４２ｂが形成される。


【手続補正１３】
【補正対象書類名】明細書
【補正対象項目名】００７９
【補正方法】変更
【補正の内容】
【００７９】
図６に示すものでは、向きが相反しているジグザク状の接合線４３ａと４３ｂがＸ方向へ延び、且つＹ方向へ交互に配列している。接合線４３ａと４３ｂとの間に間隔の広い領域（ｉｉｉ）と狭い領域（ｉｖ）が形成されている。接合線４３ａと４３ｂとの間に形成されるループ部４４は、前記領域（ｉｉｉ）の中央部分で高さ寸法が大きく、領域（ｉｖ）に向けて高さ寸法が徐々に低下する形状となる。


【手続補正１４】
【補正対象書類名】明細書
【補正対象項目名】００９４
【補正方法】変更
【補正の内容】
【００９４】
（連続フィラメントの層１３）
ＰＥ／ＰＰの芯鞘型の複合合成繊維で、繊度が６．６ｄｔｅｘ、機械捲縮の捲縮数が１インチ長あたり１８個、弾性回復率が８４％、単糸強度が３１．４ｍＮ／ｄｔｅｘ、で酸化チタンを２質量％含み、表面に親水性油剤が０．３質量％付着したものを使用した。
連続フィラメントの層１３の目付けは７０ｇ／ｍ２に調整した。


【手続補正１５】
【補正対象書類名】明細書
【補正対象項目名】００９９
【補正方法】変更
【補正の内容】
【００９９】
（接合線１４ａ，１４ｂ）
接合線のパターンは、図２に示すように奇数列（ｉ）と偶数列（ｉｉ）とで、互い違いであり、接合線の線幅（Ｙ方向の幅寸法）は０．５ｍｍ、Ｘ方向の長さ寸法Ｗを５ｍｍとした。また弾性部材１２を３倍に伸ばした状態で、接合線１４ａと１４ａとのＹ方向のピッチが１５ｍｍ、接合線１４ｂと１４ｂのピッチが１５ｍｍで、接合線１４ａと１４ａの中点に接合線１４ｂが位置する配列とした。接合線を形成した時点での、接合線の面積占有率は３．３％であった。
前記接合線は、エンボス金型を使用してソニックシールにより融着接合した。


【手続補正１６】
【補正対象書類名】図面
【補正対象項目名】図６
【補正方法】変更
【補正の内容】
【図６】
2002065736.tif 000001
【手続補正１７】
【補正対象書類名】図面
【補正対象項目名】図１１
【補正方法】変更
【補正の内容】
【図１１】
2002065736.tif 000002
【手続補正１８】
【補正対象書類名】図面
【補正対象項目名】図１３
【補正方法】変更
【補正の内容】
【図１３】
2002065736.tif 000003